(57)【要約】  コントローラ（２）は、ポータブル機器（４０）をコントローラ（２）に接続するようにセレクタ（６）を制御して、ポータブル機器（４０）を認証し、ポータブル機器（４０）の認証に成功したとき、ポータブル機器（４０）を映像音声処理デバイス回路（３）に接続するようにセレクタ（６）を制御する。
2011010454.tif 000002
【特許請求の範囲】
【請求項１】
他の機器に接続された電子機器であって、
上記他の機器と通信して上記他の機器を認証する制御手段と、
上記他の機器からデータを受信する通信手段と、
上記他の機器を、上記制御手段に接続するか、もしくは上記通信手段に接続するかを選択的に切り換える第１の切換手段とを備え、
上記制御手段は、
上記他の機器を上記制御手段に接続するように上記第１の切換手段を制御した後に、上記第１の切換手段を介して上記他の機器と通信して、上記他の機器を認証し、
上記他の機器の認証に成功したとき、上記他の機器を上記通信手段に接続するように上記第１の切換手段を制御することを特徴とする電子機器。
【請求項２】
上記制御手段は、上記電子機器の電源スイッチがオンされたときに、上記第１の切換手段を介して上記他の機器と通信して、上記他の機器を認証することを特徴とする請求項１記載の電子機器。
【請求項３】
上記制御手段は、上記他の機器から接続を要求するコマンドを受信したときに、上記第１の切換手段を介して上記他の機器と通信して、上記他の機器を認証することを特徴とする請求項１又は２記載の電子機器。
【請求項４】
上記制御手段は、上記電子機器の電源スイッチがオフされたときに、上記他の機器を上記制御手段に接続するように上記第１の切換手段を制御することを特徴とする請求項１から３までのうちのいずれか１つに記載の電子機器。
【請求項５】
上記通信手段を動作させるか否かを切り換えるための第２の切換手段をさらに備え、
上記制御手段は、上記電子機器の電源スイッチがオンされたときに、上記通信手段を動作させるように上記第２の切換手段を制御する一方、上記電子機器の電源スイッチがオフされたときに、上記通信手段の動作を停止するように上記第２の切換手段を制御することを特徴とする請求項１から４までのうちのいずれか１つに記載の電子機器。
【請求項６】
上記他の機器は二次電池を備え、
上記制御手段は、（ａ）上記他の機器が上記制御手段に接続されているときは、上記他の機器から上記第１の切換手段を介して上記二次電池の充電量のデータを受信し、（ｂ）上記他の機器が上記通信手段に接続されているときは、上記通信手段によって上記第１の切換手段を介して受信された上記二次電池の充電量のデータを、上記通信手段から受信することを特徴とする請求項１から５までのうちのいずれか１つに記載の電子機器。
【請求項７】
所定の直流電圧を上記二次電池に出力するか否かを切り換える第３の切換手段をさらに備え、
上記制御手段は、上記受信された二次電池の充電量のデータに基づいて、上記二次電池の充電量が所定のしきい値になるように、上記第３の切換手段を制御することを特徴とする請求項６記載の電子機器。
【請求項８】
上記他の機器から受信されるデータは、音声データとビデオデータとの少なくとも１つを含むコンテンツデータであることを特徴とする請求項１から７までのうちのいずれか１つに記載の電子機器。
【発明の詳細な説明】
【技術分野】
【０００１】
本発明は、ポータブル機器などの他の機器に接続され、当該他の機器を認証し、当該他の機器からコンテンツデータなどのデータを受信する電子機器に関する。
【背景技術】
【０００２】
近年、アップル・インコーポレイテッド社のｉＰｏｄ（登録商標）のように、ビデオデータ、音楽データ又は写真データなどの様々なコンテンツデータを再生可能なポータブル機器が普及してきている。さらに、このようなポータブル機器に接続され、ポータブル機器内のコンテンツデータを家庭内あるいは車内でも再生するための電子機器も増えてきている。このような電子機器は、接続されたポータブル機器内のコンテンツデータ又はコンテンツ情報（例えば、映像タイトル又は音楽タイトルなど）を表示するための映像表示機能と、ポータブル機器の二次電池を充電する充電機能とを備えているものが多い（例えば、特許文献１参照。）。
【先行技術文献】
【特許文献】
【０００３】
【特許文献１】特開２００９−８８６６０号公報。
【発明の概要】
【発明が解決しようとする課題】
【０００４】
上述した電子機器において、電子機器の消費電力を削減するために、ポータブル機器との間で通信を行うと共に電子機器全体の動作を制御するためのコントローラと、ポータブル機器から受信されたコンテンツデータ又はコンテンツ情報に対して所定の処理を行って映像表示装置に出力する映像処理デバイス回路などの処理回路とは別々に設けられている機器がある。このため、例えば、ポータブル機器からのコンテンツデータ又はコンテンツ情報は、コントローラによって受信された後に処理回路に転送され、所定の処理がされた後に映像表示装置に出力される。従って、コントローラと処理回路との間の通信速度がポータブル機器と電子機器との間の通信速度よりも小さい場合、電子機器は、受信したコンテンツデータ又はコンテンツ情報を映像表示装置において高速に表示できないという課題があった。【０００５】
本発明の目的は以上の問題点を解決し、ポータブル機器などの他の機器からコンテンツデータ等のデータを受信して、従来技術に比較して映像表示装置に高速に出力して表示できる電子機器を提供することにある。
【課題を解決するための手段】
【０００６】
本発明に係る電子機器は、他の機器に接続された電子機器であって、
上記他の機器と通信して上記他の機器を認証する制御手段と、
上記他の機器からデータを受信する通信手段と、
上記他の機器を、上記制御手段に接続するか、もしくは上記通信手段に接続するかを選択的に切り換える第１の切換手段とを備え、
上記制御手段は、
上記他の機器を上記制御手段に接続するように上記第１の切換手段を制御した後に、上記第１の切換手段を介して上記他の機器と通信して、上記他の機器を認証し、
上記他の機器の認証に成功したとき、上記他の機器を上記通信手段に接続するように上記第１の切換手段を制御することを特徴とする。【０００７】
上記電子機器において、上記制御手段は、上記電子機器の電源スイッチがオンされたときに、上記第１の切換手段を介して上記他の機器と通信して、上記他の機器を認証することを特徴とする。【０００８】
また、上記電子機器において、上記制御手段は、上記他の機器から接続を要求するコマンドを受信したときに、上記第１の切換手段を介して上記他の機器と通信して、上記他の機器を認証することを特徴とする。【０００９】
さらに、上記電子機器において、上記制御手段は、上記電子機器の電源スイッチがオフされたときに、上記他の機器を上記制御手段に接続するように上記第１の切換手段を制御することを特徴とする。【００１０】
またさらに、上記電子機器において、上記通信手段を動作させるか否かを切り換えるための第２の切換手段をさらに備え、
上記制御手段は、上記電子機器の電源スイッチがオンされたときに、上記通信手段を動作させるように上記第２の切換手段を制御する一方、上記電子機器の電源スイッチがオフされたときに、上記通信手段の動作を停止するように上記第２の切換手段を制御することを特徴とする。【００１１】
また、上記電子機器において、上記他の機器は二次電池を備え、
上記制御手段は、（ａ）上記他の機器が上記制御手段に接続されているときは、上記他の機器から上記第１の切換手段を介して上記二次電池の充電量のデータを受信し、（ｂ）上記他の機器が上記通信手段に接続されているときは、上記通信手段によって上記第１の切換手段を介して受信された上記二次電池の充電量のデータを、上記通信手段から受信することを特徴とする。【００１２】
さらに、上記電子機器において、所定の直流電圧を上記二次電池に出力するか否かを切り換える第３の切換手段をさらに備え、
上記制御手段は、上記受信された二次電池の充電量のデータに基づいて、上記二次電池の充電量が所定のしきい値になるように、上記第３の切換手段を制御することを特徴とする。【００１３】
またさらに、上記電子機器において、上記他の機器から受信されるデータは、音声データとビデオデータとの少なくとも１つを含むコンテンツデータであることを特徴とする。
【発明の効果】
【００１４】
本発明に係る電子機器は、他の機器を制御手段に接続するか、もしくは通信手段に接続するかを選択的に切り換える第１の切換手段を備え、制御手段は、第１の切換手段を介して他の機器と通信して他の機器を認証し、他の機器の認証に成功したとき、他の機器を通信手段に接続するように第１の切換手段を制御する。このため、他の機器の認証に成功した後には、通信手段は制御手段を経由せずに他の機器と直接通信を行うことができる。従って、ポータブル機器等の他の機器からコンテンツデータ又はコンテンツ情報を受信して、従来技術に比較して映像表示装置に高速に出力して表示できる電子機器を実現できる。
【図面の簡単な説明】
【００１５】
【図１】本発明の第１の実施形態に係るシアターシステム装置６０と、ポータブル機器４０と、映像表示装置７０と、スピーカ８０とを示すブロック図である。
【図２】図１のコントローラ２によって実行される機器制御処理の第１の部分を示すフローチャートである。
【図３】図１のコントローラ２によって実行される機器制御処理の第２の部分を示すフローチャートである。
【図４】図１のコントローラ２によって実行される機器制御処理の第３の部分を示すフローチャートである。
【図５】図２のステップＳ３の第１の充電処理を示すフローチャートである。
【図６】図２のステップＳ１１の第２の充電処理を示すフローチャートである。
【図７】図２及び図３の機器制御処理によって実現される電源スイッチ８のオンオフ状態と、機器接続検出スイッチ９のオンオフ状態と、給電スイッチ４及び５の各切り換え状態と、セレクタ６の切り換え状態との関係を示す表である。
【図８】本発明の第２の実施形態に係る機器制御処理の第１の部分を示すフローチャートである。
【発明を実施するための形態】
【００１６】
以下、本発明に係る実施形態について図面を参照して説明する。なお、同様の構成要素については同一の符号を付している。
【００１７】
第１の実施形態．
図１は、本発明の第１の実施形態に係るシアターシステム装置６０と、ポータブル機器４０と、映像表示装置７０と、スピーカ８０とを示すブロック図である。また、図２乃至図４は、図１のコントローラ２によって実行される機器制御処理を示すフローチャートである。
【００１８】
詳細後述するように、本実施形態に係るシアターシステム装置６０は、（ａ）ポータブル機器４０と通信してポータブル機器４０を認証するコントローラ２と、（ｂ）ポータブル機器４０からコンテンツデータ４５−ｎ（ｎ＝１，２，…，Ｎであり、Ｎは正の整数である。）を受信する映像音声処理デバイス回路３と、（ｃ）ポータブル機器４０を、コントローラ２に接続するか、もしくは映像音声処理デバイス回路３に接続するかを選択的に切り換えるセレクタ６とを備える。ここで、コントローラ２は、ポータブル機器４０をコントローラ２に接続するようにセレクタ６を制御した後に、セレクタ６を介してポータブル機器４０と通信して、ポータブル機器４０を認証し、ポータブル機器４０の認証に成功したとき、ポータブル機器４０を映像音声処理デバイス回路３に接続するようにセレクタ６を制御することを特徴としている。
【００１９】
始めに、図１を参照して、ポータブル機器４０の構成を説明する。ポータブル機器４０は、公知の携帯型のメディアプレーヤであって、ビデオデータ、写真データ、音楽データ、及びテキストデータなどのコンテンツデータ４５−１〜４５−Ｎを格納及び再生するためのユーザの端末装置として用いられる。ポータブル機器４０は、ＣＰＵ（Central Processing Unit）４１と、ＲＯＭ（Read Only Memory）４２と、ＲＡＭ（Random Access Memory）４３と、フラッシュメモリ４４と、インターフェース４６と、映像処理回路４７と、ディスプレイ４８と、音声処理回路４９と、操作部５０と、バス５１と、二次電池５２と、入出力端子５３と、電源端子５４とを備えて構成される。ＣＰＵ４１は、バス５１を介してＲＯＭ４２、ＲＡＭ４３、フラッシュメモリ４４、インターフェース４６、映像処理回路４７、音声処理回路４９、及び操作部５０と接続されていてそれらを制御するほか、種々のソフトウェアの機能を実行する。さらに、ＣＰＵ４１は、二次電池５２の充電量を検出する。なお、ポータブル機器４０の動作の主体はＣＰＵ４１であるが、以下においてその記載を省略する。
【００２０】
図１において、ＲＯＭ４２は、ポータブル機器４０の動作に必要であってＣＰＵ４１によって実行される種々のソフトウェアのプログラムを予め格納する。また、ＲＡＭ４３は、ＳＲＡＭ（Static RAM）、ＤＲＡＭ（Dynamic RAM）、ＳＤＲＡＭ（Synchronous DRAM）などで構成され、ＣＰＵ４１のワーキングエリアとして使用されてプログラムの実行時に発生する一時的なデータを記憶する。さらに、フラッシュメモリ４４は、記録媒体を内蔵する記憶装置であり、ビデオデータ、写真データ、音楽データ、及びテキストデータなどのコンテンツデータ４５−１〜４５−Ｎを格納する。
【００２１】
インターフェース４６はＵＳＢ（Universal Serial Bus)２．０に準拠しており、入出力端子５３を介してシアターシステム装置６０の入出力端子１１に接続され、シアターシステム装置６０からの信号及びデータを受信する一方、シアターシステム装置６０に対して信号及びデータを送信して信号変換及びプロトコル変換などのシリアル通信に係るインターフェース処理を実行する。また、映像処理回路４７は、ビデオデータ及び写真データ等のコンテンツデータ４５−１〜４５−Ｎ及びＣＰＵ４１が実行するプログラムによって出力されるユーザインタフェースとなる画像データに対して所定の信号処理及びＤ／Ａ変換処理を実行した後、ディスプレイ４８に出力して表示する。ここで、ユーザインタフェースとなる画像データは、例えば、二次電池５２の充電量を示す画像データ、フラッシュメモリ４４に格納されたコンテンツデータ４５−１〜４５−Ｎのリストを示す画像データ、各コンテンツデータ４５−１〜４５−Ｎに含まれるコンテンツ情報（例えば、音楽のタイトルなど。）を示す画像データ、又は、ポータブル機器４０の動作状態を示す画像データなどを含む。音声処理回路４９は、音楽データなどのコンテンツデータ４５−１〜４５−Ｎに対して所定の信号処理及びＤ／Ａ変換処理を実行する。また、操作部５０は、例えば再生／停止ボタン及びメニューボタンであり、ユーザがポータブル機器４０を操作するための指示コマンドなどを入力するためのものである。
【００２２】
図１において、二次電池５２は、例えばリチウムイオン蓄電池であって、ポータブル機器４０の各回路４１〜４４、４６〜４９などに電力を供給する。また、二次電池５２は、電源端子５４と、給電端子１０と、給電スイッチ４の接点ａとを介してシアターシステム装置６０の電源回路７に接続されており、詳細後述するように、シアターシステム装置６０によって充電される。
【００２３】
次に、図１を参照して、シアターシステム装置６０の構成を説明する。シアターシステム装置６０は、制御用のマイクロコンピュータにてなるコントローラ２と、ＬＳＩ（Large Scale Integration）にてなる映像音声処理デバイス回路３と、給電スイッチ４及び５と、セレクタ６と、電源回路７と、電源スイッチ８と、機器接続検出スイッチ９と、給電端子１０と、入出力端子１１と、映像出力端子１２と、音声出力端子１３とを備えて構成される電子機器である。また、シアターシステム装置６０は、ポータブル機器４０がシアターシステム装置６０の所定の接続位置に設置されたときに、機器接続検出スイッチ９がオンされ、給電端子１０と電源端子５４とが互いに電気的に接続され、かつ、入出力端子１１と入出力端子５３とが互いに電気的に接続されるように構成されている。ポータブル機器４０がシアターシステム装置６０の所定の接続位置から取り除かれたときには、機器接続検出スイッチ９はオフされる。ここで、給電スイッチ４及び５の各接点ａは電源回路７に接続され、給電スイッチ４及び５の各接点ｂはオープンである。電源回路７は、商用電源９０からの交流電圧を、コントローラ２及び映像音声処理デバイス回路３を動作させるための直流電圧Ｖ１と、ポータブル機器４０の二次電池５２を充電するための直流電圧Ｖ２とに変換する。直流電圧Ｖ１は、コントローラ２に出力されると共に、給電スイッチ５の接点ａを介して映像音声処理デバイス回路３に出力される。また、直流電圧Ｖ２は、給電スイッチ４の接点ａと、給電端子１０と、電源端子５４とを介して、二次電池５２に出力される。さらに、セレクタ６は、ポータブル機器４０を、入出力端子５３及び入出力端子１１を介してコントローラ２に接続するか、もしくは、映像音声処理デバイス回路３に接続するかを選択的に切り換える。
【００２４】
電源スイッチ８は、シアターシステム装置６０をオンオフするために設けられる。ここで、シアターシステム装置６０がオフされている状態とは、シアターシステム装置６０が商用電源９０に接続されており、かつ、電源回路７からの直流電圧Ｖ１がコントローラ２のみに出力されている状態をいう。このとき、映像音声処理デバイス回路３には直流電圧Ｖ１は供給されておらず、映像音声処理デバイス回路３は動作していない。また、シアターシステム装置６０がオンされている状態とは、シアターシステム装置６０が商用電源９０に接続されており、かつ、電源回路７からの直流電圧Ｖ１がコントローラ２及び映像音声処理デバイス回路３に出力されている状態をいう。このとき、映像音声処理デバイス回路３には直流電圧Ｖ１が供給されており、映像音声処理デバイス回路３は動作している。また、機器接続検出スイッチ９は、ポータブル機器４０が上述した所定の接続位置に設置されたときに電気的にオンするように構成されている。シアターシステム装置６０が商用電源９０に接続されているときには、電源スイッチ８のオンオフ状態に関係なく、電源回路７からコントローラ２に直流電圧Ｖ１が常時供給されており、コントローラ２は、電源スイッチ８及び機器接続検出スイッチ９の各オンオフ状態を検出できる。そして、詳細後述するように、コントローラ２は、電源スイッチ８及び機器接続検出スイッチ９の各オンオフ状態の検出結果に基づいて、給電スイッチ４と、給電スイッチ５と、セレクタ６との各動作を制御する。
【００２５】
また、映像音声処理デバイス回路３は、ポータブル機器４０との間でデータを送受信する通信手段であって、音声データとビデオデータとの少なくとも１つを含むコンテンツデータ４５−ｎ又はコンテンツ情報を、ポータブル機器４０から受信する。映像音声処理デバイス回路３は、ポータブル機器４０からセレクタ６を介して入力されるコンテンツデータ４５−ｎ又はコンテンツ情報に含まれるビデオデータに対して所定の信号処理やＤ／Ａ変換処理を実行した後、ディスプレイなどの映像表示装置７０に出力して表示する。さらに、映像音声処理デバイス回路３は、ポータブル機器４０からセレクタ６を介して入力されるコンテンツデータ４５−ｎ又はコンテンツ情報に含まれる音声データに対して所定の信号処理やＤ／Ａ変換処理を実行した後、スピーカ８０に出力する。さらに、映像音声処理デバイス回路３は、ポータブル機器４０からセレクタ６を介して入力される二次電池５２の充電量を含むデータを、コントローラ２に出力する。
【００２６】
次に、図２乃至図６を参照して、コントローラ２によって実行される機器制御処理を説明する。機器制御処理は、電源回路７に商用電源９０が供給され、電源回路７からコントローラ２に直流電圧Ｖ１が供給されたときに実行される。このとき、電源スイッチ８及び機器接続検出スイッチ９はオフされている。始めに、ステップＳ１において、コントローラ２は、給電スイッチ４を接点ｂ側に切り換え、給電スイッチ５を接点ｂ側に切り換え、セレクタ６をコントローラ２側に切り換える。これにより、ポータブル機器４０は電源回路７に接続されず、映像音声処理デバイス回路３は動作せず、ポータブル機器４０はコントローラ２に接続される。次に、ステップＳ２において、機器接続検出スイッチ９がオンされた（すなわち、ポータブル機器４０がシアターシステム装置６０の所定の接続位置に設置された）か否かが判断され、ＹＥＳのときはステップＳ３に進む一方、ＮＯのときはステップＳ１６に進む。ステップＳ３では、図５の第１の充電処理が実行される。
【００２７】
図５の第１の充電処理中には、セレクタ６はコントローラ２側に切り換えられており、ポータブル機器４０はコントローラ２に接続されている。図５のステップＳ３１において、コントローラ２は、給電スイッチ４を接点ａ側に切り換える。そして、ステップＳ３２において、コントローラ２は、ポータブル機器４０に対して二次電池５２の充電量のデータを送信することを要求するコマンドを、セレクタ６を介してポータブル機器４０に送信し、これに応答してポータブル機器４０から送信された二次電池５２の充電量のデータを、セレクタ６を介して受信する。次に、ステップＳ３３において、二次電池５２の充電量が所定のしきい値より大きいか否かが判断され、ＹＥＳのときはステップＳ３４に進む一方、ＮＯのときはステップＳ３５に進む。ステップＳ３４において、給電スイッチ４は接点ｂ側に切り換えられ、ステップＳ３２に戻る。また、ステップＳ３５において、給電スイッチ４は接点ａ側に切り換えられ、ステップＳ３２に戻る。なお、コントローラ２は、ステップＳ３２の処理を所定の周期で実行する。
【００２８】
図２に戻り参照すると、ステップＳ４において、ステップＳ３の第１の充電処理を実行中に、電源スイッチ８がオンされたか否かが判断され、ＹＥＳのときはステップＳ７に進む一方、ＮＯのときはステップＳ５に進む。そして、ステップＳ５では、第１の充電処理を実行中に、機器接続検出スイッチ９がオフされた（すなわち、ポータブル機器４０がシアターシステム装置６０の所定の接続位置から外された）か否かが判断され、ＹＥＳのときはステップＳ６において第１の充電処理を終了してステップＳ１に戻る一方、ＮＯのときはステップＳ４に戻る。
【００２９】
ステップＳ７において、コントローラ２は、第１の充電処理を終了し、給電スイッチ４を接点ａ側に切り換え、給電スイッチ５を接点ａ側に切り換える。これにより、映像音声処理デバイス回路３に直流電圧Ｖ１が供給される。次にステップＳ８において、コントローラ２は、ポータブル機器４０との間でセレクタ６を介して所定の認証処理を行い、ステップＳ９に進む。ここで、ステップＳ８において実行される認証処理は、ポータブル機器４０と通信して、ポータブル機器４０内のコンテンツデータ４５−ｎを受信して再生することを機器認証するための処理である。ステップＳ９では、ポータブル機器４０の認証に成功したか否かが判断され、ＹＥＳのときはステップＳ１０に進む一方、ＮＯのときはステップＳ２１に進む。そして、ステップＳ１０において、コントローラ２はセレクタ６を映像音声処理デバイス回路３側に切り換え、ステップＳ１１において、図６の第２の充電処理を実行する。なお、ステップＳ１０において、セレクタ６が映像音声処理デバイス回路３側に切り換えられると、ポータブル機器４０は映像音声処理デバイス回路３に接続され、映像音声処理デバイス回路３は、ポータブル機器４０からセレクタ６を介してコンテンツデータ４５−ｎ又はコンテンツ情報を受信し、受信したコンテンツデータ４５−ｎ又はコンテンツ情報に基づいてビデオデータ及び音声データを生成し、ビデオデータを映像表示装置７０に出力して表示すると共に、音声データをスピーカ８０に出力する。さらに、映像音声処理デバイス回路３は、ポータブル機器４０に対して二次電池５２の充電量のデータを送信することを要求するコマンドを、セレクタ６を介してポータブル機器４０に所定の周期で、送信し、これに応答してポータブル機器４０から送信された二次電池５２の充電量のデータを、セレクタ６を介して受信する。そして、受信した充電量のデータをコントローラ２に出力する。
【００３０】
図６の第２の充電処理中には、セレクタ６は映像音声処理デバイス回路３側に切り換えられており、ポータブル機器４０は映像音声処理デバイス回路３に接続されている。図６のステップＳ４１において、コントローラ２は、映像音声処理デバイス回路３から、二次電池５２の充電量のデータを受信する。次に、ステップＳ４３において、二次電池５２の充電量が所定のしきい値より大きいか否かが判断され、ＹＥＳのときはステップＳ４４に進む一方、ＮＯのときはステップＳ４５に進む。ステップＳ４４において、給電スイッチ４は接点ｂ側に切り換えられ、ステップＳ４２に戻る。また、ステップＳ４５において、給電スイッチ４は接点ａ側に切り換えられ、ステップＳ４２に戻る。
【００３１】
図２に戻り参照すると、ステップＳ１２において、第２の充電処理中に電源スイッチ８がオフされたか否かが判断され、ＹＥＳのときはステップＳ１３に進む一方、ＮＯのときはステップＳ１４に進む。ステップＳ１３において、コントローラ２は第２の充電処理を終了し、給電スイッチ５を接点ｂ側に切り換え、セレクタ６をコントローラ２側に切り換え、ステップＳ３に戻る。一方、ステップＳ１４では、第２の充電処理中に機器接続検出スイッチ９がオフされたか否かが判断され、ＹＥＳのときはステップＳ１５に進む一方、ＮＯのときはステップＳ１２に戻る。ステップＳ１５において、コントローラ２は給電スイッチ４を接点ｂ側に切り換え、セレクタ６をコントローラ２側に切り換え、ステップＳ１８に進む。
【００３２】
ステップＳ１６では、電源スイッチ８がオンされたか否かが判断され、ＹＥＳのときはステップＳ１７に進む一方、ＮＯのときはステップＳ２に戻る。ステップＳ１７において、コントローラ２は給電スイッチ５を接点ａ側に切り換えてステップＳ１８に進む。ステップＳ１８では、電源スイッチ８がオフされたか否かが判断され、ＹＥＳのときはステップＳ１に戻る一方、ＮＯのときはステップＳ１９に進む。さらに、ステップＳ１９では、機器接続検出スイッチ９がオンされたか否かが判断され、ＹＥＳのときはステップＳ２０に進む一方、ＮＯのときはステップＳ１８に戻る。ステップＳ２０において、給電スイッチ４は接点ａ側に切り換えられ、ステップＳ８に戻る。
【００３３】
また、ステップＳ９において認証に失敗したときには、ステップＳ２１において、コントローラ２は給電スイッチ４を接点ｂ側に切り換えてステップＳ２２に進む。ステップＳ２２では、電源スイッチ８がオフされたか否かが判断され、ＹＥＳのときはステップＳ１に戻る一方、ＮＯのときはステップＳ２３に進む。そして、ステップＳ２３では、機器接続検出スイッチ９がオフされたか否かが判断され、ＹＥＳのときはステップＳ１８に進む一方、ＮＯのときはステップＳ２２に戻る。
【００３４】
図７は、図２及び図３の機器制御処理によって実現される電源スイッチ８のオンオフ状態と、機器接続検出スイッチ９のオンオフ状態と、給電スイッチ４及び５の各切り換え状態と、セレクタ６の切り換え状態との関係を示す表である。図７に示すように、本実施形態に係る機器制御処理によれば、ポータブル機器４０がシアターシステム装置６０に接続されており（すなわち、機器接続検出スイッチ９がオンされている）、かつ、電源スイッチ８がオフされているときには、給電スイッチ５は接点ｂに切り換えられ、セレクタ６はコントローラ２側に切り換えられる。そして、コントローラ２は第１の充電処理を実行することにより、二次電池５２の充電量のデータをセレクタ６を介してポータブル機器４０から受信し、充電量が実質的に所定のしきい値になるように二次電池５２を充電する。
【００３５】
また、ポータブル機器４０がシアターシステム装置６０に接続されており（すなわち、機器接続検出スイッチ９がオンされている）、かつ、電源スイッチ８がオンされているときには、給電スイッチ５は接点ａ側に切り換えられ、映像音声処理デバイス回路３に直流電圧Ｖ１が供給される。また、コントローラ２は、給電スイッチ４を接点ａ側に切り換えてポータブル機器４０に給電すると共に、セレクタ６をコントローラ２側に切り換え、セレクタ６を介してポータブル機器４０との間で認証処理を行う。そして、コントローラ２は、ポータブル機器４０の認証に成功したときに、セレクタ６を映像音声処理デバイス回路３側に切り換える。従って、認証に成功した後は、ポータブル機器４０は映像音声処理デバイス回路３との間で通信を行い、コンテンツデータ４５−ｎ及び二次電池５２の充電量のデータを映像音声処理デバイス回路３に送信する。さらに、認証に成功した後は、コントローラ２は第２の充電処理を実行することにより、二次電池５２の充電量のデータを映像音声処理デバイス回路３から受信し、充電量が実質的に所定のしきい値になるように二次電池５２を充電する。
【００３６】
以上説明したように、本実施形態によれば、コントローラ２は、ポータブル機器４０をコントローラ２に接続するようにセレクタ６を制御した後に、セレクタ６を介してポータブル機器４０と通信してポータブル機器４０を認証し（図２のステップＳ８）、ポータブル機器４０の認証に成功したときに、セレクタ６を映像音声処理デバイス回路３側に切り換える（図２のステップＳ１０）ので、ポータブル機器４０からのコンテンツデータ４５−ｎは、コントローラ２を経由せずに映像音声処理デバイス回路３に送信される。従って、従来技術に比較して、受信したコンテンツデータ４５−ｎに含まれるビデオデータを映像表示装置７０に高速に表示できる。
【００３７】
また、コントローラ２は、シアターシステム装置６０の電源スイッチ８がオンされたとき（図２のステップＳ４でＹＥＳの場合）に、セレクタ６を介してポータブル機器４０と通信してポータブル機器４０を認証するので、電源スイッチ８のオン時に確実にポータブル機器４０を認証できる。
【００３８】
さらに、コントローラ２は、シアターシステム装置６０の電源スイッチ８がオフされたときに、ポータブル機器４０をコントローラ２に接続するようにセレクタ６を制御する（図２のステップＳ１及びステップＳ１３）ので、コントローラ２は、電源スイッチ８がオフされた後にも、ポータブル機器４０との間で通信を行うことができ、例えば、二次電池５２の充電量のデータをポータブル機器４０から受信できる。
【００３９】
またさらに、シアターシステム装置６０は、映像音声処理デバイス回路３を動作させるか否かを切り換えるための給電スイッチ５を備え、コントローラ２は、電源スイッチ８がオンされたときに、映像音声処理デバイス回路３を動作させるように給電スイッチ５を接点ａ側に切り換える一方、電源スイッチ８がオフされたときに、映像音声処理デバイス回路３の動作を停止するように給電スイッチ５を接点ｂ側に切り換える。従って、電源スイッチ８がオフされているときには、映像音声処理デバイス回路３には給電されないので、シアターシステム装置６０の消費電力を最低限に抑えることができる。
【００４０】
また、コントローラ２は、ポータブル機器４０がコントローラ２に接続されているときは、ポータブル機器４０からセレクタ６を介して二次電池５２の充電量のデータを受信し、ポータブル機器４０が映像音声処理デバイス回路３に接続されているときは、映像音声処理デバイス回路３によってセレクタ６を介して受信された二次電池５２の充電量のデータを、映像音声処理デバイス回路３から受信するので、電源スイッチ８のオンオフ状態に関係なく、二次電池５２の充電量のデータを受信して、二次電池５２の充電量を監視できる。
【００４１】
さらに、シアターシステム装置６０は、直流電圧Ｖ１を二次電池５２に出力するか否かを切り換える給電スイッチ４を備え、コントローラ２は、受信された二次電池５２の充電量のデータに基づいて、上記二次電池の充電量が所定のしきい値になるように、給電スイッチ４を制御するので、充電量が実質的に所定のしきい値になるように二次電池５２を充電できる。
【００４２】
第２の実施形態．
図８は、本発明の第２の実施形態に係る機器制御処理の第１の部分を示すフローチャートである。なお、第２の実施形態に係る機器制御処理の第２の部分及び第３の部分は、それぞれ、第１の実施形態に係る機器制御処理の第２の部分（図３）及び第３の部分（図４）と同一である。図８の処理は、図２の処理のステップＳ４をステップＳ４Ａに置き換えたものである。ステップＳ４Ａにおいて、コントローラ２は、第１の充電処理を実行中に電源スイッチ８がオンされ、又は、接続要求コマンドをポータブル機器４０から受信したか否かを判断する。ここで、接続要求コマンドは、シアターシステム装置６０への接続を要求するコマンドであって、ユーザがポータブル機器４０の操作部５０の再生ボタンなどを操作したときに、ポータブル機器４０からシアターシステム装置６０に送信される。従って、本実施形態によれば、電源スイッチ８のオンオフ状態に関係なく、ユーザがポータブル機器４０の操作部５０の再生ボタンなどを操作したときに映像表示装置７０にビデオデータを出力して表示し、スピーカ８０から音声を出力できる。
【００４３】
なお、上記各実施形態において、インターフェース４６は、ＵＳＢ２．０に準拠したインターフェース回路であったが、本発明はこれに限らず、ＵＡＲＴ（Universal Asynchronous Receiver Transmitter）の集積回路であってもよい。
【００４４】
また、上記各実施形態において、ポータブル機器４０とシアターシステム装置６０とを有線接続したが、本発明はこれに限らず、無線接続してもよい。
【００４５】
さらに、上記各実施形態において、電源スイッチ８がオフのとき、コントローラ２は、第１の充電処理を実行することにより、二次電池５２の充電量が所定のしきい値より大きいときには給電スイッチ４を接点ｂ側に切り換えたが、本発明はこれに限らず、ユーザに対してポータブル機器４０の接続を解除することを指示する画像データを、映像音声処理デバイス回路３を介して映像表示装置７０に表示してもよい。
【００４６】
上記各実施形態において、シアターシステム装置６０を例に挙げて説明したが、本発明はこれに限らず、ポータブル機器４０等の他の機器に接続された電子機器であればよい。
【産業上の利用可能性】
【００４７】
以上説明したように、本発明に係る電子機器は、他の機器を制御手段に接続するか、もしくは通信手段に接続するかを選択的に切り換える第１の切換手段を備え、制御手段は、第１の切換手段を介して他の機器と通信して他の機器を認証し、他の機器の認証に成功したとき、他の機器を通信手段に接続するように第１の切換手段を制御する。このため、他の機器の認証に成功した後には、通信手段は制御手段を経由せずに他の機器と直接通信を行うことができる。従って、ポータブル機器等の他の機器からコンテンツデータ又はコンテンツ情報を受信して、従来技術に比較して映像表示装置に高速に出力して表示できる電子機器を実現できる。
【符号の説明】
【００４８】
２…コントローラ、
３…映像音声処理デバイス回路、
４…給電スイッチ、
５…給電スイッチ、
６…セレクタ、
７…電源回路、
８…電源スイッチ、
９…機器接続検出スイッチ、
１０…給電端子、
１１…入出力端子、
１２…映像出力端子、
１３…音声出力端子、
４０…ポータブル機器、
４１…ＣＰＵ、
４２…ＲＯＭ、
４３…ＲＡＭ、
４４…フラッシュメモリ、
４５−１〜４５−Ｎ…コンテンツデータ、
４６…インターフェース、
４７…映像処理回路、
４８…ディスプレイ、
４９…音声処理回路、
５０…操作部、
５１…バス、
５２…二次電池、
５３…入出力端子、
５４…電源端子、
６０…シアターシステム装置、
７０…映像表示装置、
８０…スピーカ。
【図１】
2011010454.tif 000003
【図２】
2011010454.tif 000004
【図３】
2011010454.tif 000005
【図４】
2011010454.tif 000006
【図５】
2011010454.tif 000007
【図６】
2011010454.tif 000008
【図７】
2011010454.tif 000009
【図８】
2011010454.tif 000010
【手続補正書】
【提出日】平成23年2月25日(2011.2.25)
【手続補正１】
【補正対象書類名】明細書
【補正対象項目名】全文
【補正方法】変更
【補正の内容】
【発明の詳細な説明】
【技術分野】
【０００１】
本発明は、ポータブル機器などの他の機器に接続され、当該他の機器を認証し、当該他の機器からコンテンツデータなどのデータを受信する電子機器に関する。
【背景技術】
【０００２】
近年、アップル・インコーポレイテッド社のｉＰｏｄ（登録商標）のように、ビデオデータ、音楽データ又は写真データなどの様々なコンテンツデータを再生可能なポータブル機器が普及してきている。さらに、このようなポータブル機器に接続され、ポータブル機器内のコンテンツデータを家庭内あるいは車内でも再生するための電子機器も増えてきている。このような電子機器は、接続されたポータブル機器内のコンテンツデータ又はコンテンツ情報（例えば、映像タイトル又は音楽タイトルなど）を表示するための映像表示機能と、ポータブル機器の二次電池を充電する充電機能とを備えているものが多い（例えば、特許文献１参照。）。
【先行技術文献】
【特許文献】
【０００３】
【特許文献１】特開２００９−８８６６０号公報。
【発明の概要】
【発明が解決しようとする課題】
【０００４】
上述した電子機器において、電子機器の消費電力を削減するために、ポータブル機器との間で通信を行うと共に電子機器全体の動作を制御するためのコントローラと、ポータブル機器から受信されたコンテンツデータ又はコンテンツ情報に対して所定の処理を行って映像表示装置に出力する映像処理デバイス回路などの処理回路とは別々に設けられている機器がある。このため、例えば、ポータブル機器からのコンテンツデータ又はコンテンツ情報は、コントローラによって受信された後に処理回路に転送され、所定の処理がされた後に映像表示装置に出力される。従って、コントローラと処理回路との間の通信速度がポータブル機器と電子機器との間の通信速度よりも小さい場合、電子機器は、受信したコンテンツデータ又はコンテンツ情報を映像表示装置において高速に表示できないという課題があった。
【０００５】
本発明の目的は以上の問題点を解決し、ポータブル機器などの他の機器からコンテンツデータ等のデータを受信して、従来技術に比較して映像表示装置に高速に出力して表示できる電子機器を提供することにある。
【課題を解決するための手段】
【０００６】
本発明に係る電子機器は、他の機器に接続された電子機器であって、
上記他の機器と通信して上記他の機器を認証する制御手段と、
上記他の機器からデータを受信する通信手段と、
上記他の機器を、上記制御手段に接続するか、もしくは上記通信手段に接続するかを選択的に切り換える第１の切換手段とを備え、
上記制御手段は、
上記他の機器を上記制御手段に接続するように上記第１の切換手段を制御した後に、上記第１の切換手段を介して上記他の機器と通信して、上記他の機器を認証し、
上記他の機器の認証に成功したとき、上記他の機器を上記通信手段に接続するように上記第１の切換手段を制御することを特徴とする。
【０００７】
上記電子機器において、上記制御手段は、上記電子機器の電源スイッチがオンされたときに、上記第１の切換手段を介して上記他の機器と通信して、上記他の機器を認証することを特徴とする。
【０００８】
また、上記電子機器において、上記制御手段は、上記他の機器から接続を要求するコマンドを受信したときに、上記第１の切換手段を介して上記他の機器と通信して、上記他の機器を認証することを特徴とする。
【０００９】
さらに、上記電子機器において、上記制御手段は、上記電子機器の電源スイッチがオフされたときに、上記他の機器を上記制御手段に接続するように上記第１の切換手段を制御することを特徴とする。
【００１０】
またさらに、上記電子機器において、上記通信手段を動作させるか否かを切り換えるための第２の切換手段をさらに備え、
上記制御手段は、上記電子機器の電源スイッチがオンされたときに、上記通信手段を動作させるように上記第２の切換手段を制御する一方、上記電子機器の電源スイッチがオフされたときに、上記通信手段の動作を停止するように上記第２の切換手段を制御することを特徴とする。
【００１１】
また、上記電子機器において、上記他の機器は二次電池を備え、
上記制御手段は、（ａ）上記他の機器が上記制御手段に接続されているときは、上記他の機器から上記第１の切換手段を介して上記二次電池の充電量のデータを受信し、（ｂ）上記他の機器が上記通信手段に接続されているときは、上記通信手段によって上記第１の切換手段を介して受信された上記二次電池の充電量のデータを、上記通信手段から受信することを特徴とする。
【００１２】
さらに、上記電子機器において、所定の直流電圧を上記二次電池に出力するか否かを切り換える第３の切換手段をさらに備え、
上記制御手段は、上記受信された二次電池の充電量のデータに基づいて、上記二次電池の充電量が所定のしきい値になるように、上記第３の切換手段を制御することを特徴とする。
【００１３】
またさらに、上記電子機器において、上記他の機器から受信されるデータは、音声データとビデオデータとの少なくとも１つを含むコンテンツデータであることを特徴とする。
【発明の効果】
【００１４】
本発明に係る電子機器は、他の機器を制御手段に接続するか、もしくは通信手段に接続するかを選択的に切り換える第１の切換手段を備え、制御手段は、第１の切換手段を介して他の機器と通信して他の機器を認証し、他の機器の認証に成功したとき、他の機器を通信手段に接続するように第１の切換手段を制御する。このため、他の機器の認証に成功した後には、通信手段は制御手段を経由せずに他の機器と直接通信を行うことができる。従って、ポータブル機器等の他の機器からコンテンツデータ又はコンテンツ情報を受信して、従来技術に比較して映像表示装置に高速に出力して表示できる電子機器を実現できる。
【図面の簡単な説明】
【００１５】
【図１】本発明の第１の実施形態に係るシアターシステム装置６０と、ポータブル機器４０と、映像表示装置７０と、スピーカ８０とを示すブロック図である。
【図２】図１のコントローラ２によって実行される機器制御処理の第１の部分を示すフローチャートである。
【図３】図１のコントローラ２によって実行される機器制御処理の第２の部分を示すフローチャートである。
【図４】図１のコントローラ２によって実行される機器制御処理の第３の部分を示すフローチャートである。
【図５】図２のステップＳ３の第１の充電処理を示すフローチャートである。
【図６】図２のステップＳ１１の第２の充電処理を示すフローチャートである。
【図７】図２及び図３の機器制御処理によって実現される電源スイッチ８のオンオフ状態と、機器接続検出スイッチ９のオンオフ状態と、給電スイッチ４及び５の各切り換え状態と、セレクタ６の切り換え状態との関係を示す表である。
【図８】本発明の第２の実施形態に係る機器制御処理の第１の部分を示すフローチャートである。
【発明を実施するための形態】
【００１６】
以下、本発明に係る実施形態について図面を参照して説明する。なお、同様の構成要素については同一の符号を付している。
【００１７】
第１の実施形態．
図１は、本発明の第１の実施形態に係るシアターシステム装置６０と、ポータブル機器４０と、映像表示装置７０と、スピーカ８０とを示すブロック図である。また、図２乃至図４は、図１のコントローラ２によって実行される機器制御処理を示すフローチャートである。
【００１８】
詳細後述するように、本実施形態に係るシアターシステム装置６０は、（ａ）ポータブル機器４０と通信してポータブル機器４０を認証するコントローラ２と、（ｂ）ポータブル機器４０からコンテンツデータ４５−ｎ（ｎ＝１，２，…，Ｎであり、Ｎは正の整数である。）を受信する映像音声処理デバイス回路３と、（ｃ）ポータブル機器４０を、コントローラ２に接続するか、もしくは映像音声処理デバイス回路３に接続するかを選択的に切り換えるセレクタ６とを備える。ここで、コントローラ２は、ポータブル機器４０をコントローラ２に接続するようにセレクタ６を制御した後に、セレクタ６を介してポータブル機器４０と通信して、ポータブル機器４０を認証し、ポータブル機器４０の認証に成功したとき、ポータブル機器４０を映像音声処理デバイス回路３に接続するようにセレクタ６を制御することを特徴としている。
【００１９】
始めに、図１を参照して、ポータブル機器４０の構成を説明する。ポータブル機器４０は、公知の携帯型のメディアプレーヤであって、ビデオデータ、写真データ、音楽データ、及びテキストデータなどのコンテンツデータ４５−１〜４５−Ｎを格納及び再生するためのユーザの端末装置として用いられる。ポータブル機器４０は、ＣＰＵ（Central Processing Unit）４１と、ＲＯＭ（Read Only Memory）４２と、ＲＡＭ（Random Access Memory）４３と、フラッシュメモリ４４と、インターフェース４６と、映像処理回路４７と、ディスプレイ４８と、音声処理回路４９と、操作部５０と、バス５１と、二次電池５２と、入出力端子５３と、電源端子５４とを備えて構成される。ＣＰＵ４１は、バス５１を介してＲＯＭ４２、ＲＡＭ４３、フラッシュメモリ４４、インターフェース４６、映像処理回路４７、音声処理回路４９、及び操作部５０と接続されていてそれらを制御するほか、種々のソフトウェアの機能を実行する。さらに、ＣＰＵ４１は、二次電池５２の充電量を検出する。なお、ポータブル機器４０の動作の主体はＣＰＵ４１であるが、以下においてその記載を省略する。
【００２０】
図１において、ＲＯＭ４２は、ポータブル機器４０の動作に必要であってＣＰＵ４１によって実行される種々のソフトウェアのプログラムを予め格納する。また、ＲＡＭ４３は、ＳＲＡＭ（Static RAM）、ＤＲＡＭ（Dynamic RAM）、ＳＤＲＡＭ（Synchronous DRAM）などで構成され、ＣＰＵ４１のワーキングエリアとして使用されてプログラムの実行時に発生する一時的なデータを記憶する。さらに、フラッシュメモリ４４は、記録媒体を内蔵する記憶装置であり、ビデオデータ、写真データ、音楽データ、及びテキストデータなどのコンテンツデータ４５−１〜４５−Ｎを格納する。
【００２１】
インターフェース４６はＵＳＢ（Universal Serial Bus)２．０に準拠しており、入出力端子５３を介してシアターシステム装置６０の入出力端子１１に接続され、シアターシステム装置６０からの信号及びデータを受信する一方、シアターシステム装置６０に対して信号及びデータを送信して信号変換及びプロトコル変換などのシリアル通信に係るインターフェース処理を実行する。また、映像処理回路４７は、ビデオデータ及び写真データ等のコンテンツデータ４５−１〜４５−Ｎ及びＣＰＵ４１が実行するプログラムによって出力されるユーザインタフェースとなる画像データに対して所定の信号処理及びＤ／Ａ変換処理を実行した後、ディスプレイ４８に出力して表示する。ここで、ユーザインタフェースとなる画像データは、例えば、二次電池５２の充電量を示す画像データ、フラッシュメモリ４４に格納されたコンテンツデータ４５−１〜４５−Ｎのリストを示す画像データ、各コンテンツデータ４５−１〜４５−Ｎに含まれるコンテンツ情報（例えば、音楽のタイトルなど。）を示す画像データ、又は、ポータブル機器４０の動作状態を示す画像データなどを含む。音声処理回路４９は、音楽データなどのコンテンツデータ４５−１〜４５−Ｎに対して所定の信号処理及びＤ／Ａ変換処理を実行する。また、操作部５０は、例えば再生／停止ボタン及びメニューボタンであり、ユーザがポータブル機器４０を操作するための指示コマンドなどを入力するためのものである。
【００２２】
図１において、二次電池５２は、例えばリチウムイオン蓄電池であって、ポータブル機器４０の各回路４１〜４４、４６〜４９などに電力を供給する。また、二次電池５２は、電源端子５４と、給電端子１０と、給電スイッチ４の接点ａとを介してシアターシステム装置６０の電源回路７に接続されており、詳細後述するように、シアターシステム装置６０によって充電される。
【００２３】
次に、図１を参照して、シアターシステム装置６０の構成を説明する。シアターシステム装置６０は、制御用のマイクロコンピュータにてなるコントローラ２と、ＬＳＩ（Large Scale Integration）にてなる映像音声処理デバイス回路３と、給電スイッチ４及び５と、セレクタ６と、電源回路７と、電源スイッチ８と、機器接続検出スイッチ９と、給電端子１０と、入出力端子１１と、映像出力端子１２と、音声出力端子１３とを備えて構成される電子機器である。また、シアターシステム装置６０は、ポータブル機器４０がシアターシステム装置６０の所定の接続位置に設置されたときに、機器接続検出スイッチ９がオンされ、給電端子１０と電源端子５４とが互いに電気的に接続され、かつ、入出力端子１１と入出力端子５３とが互いに電気的に接続されるように構成されている。ポータブル機器４０がシアターシステム装置６０の所定の接続位置から取り除かれたときには、機器接続検出スイッチ９はオフされる。ここで、給電スイッチ４及び５の各接点ａは電源回路７に接続され、給電スイッチ４及び５の各接点ｂはオープンである。電源回路７は、商用電源９０からの交流電圧を、コントローラ２及び映像音声処理デバイス回路３を動作させるための直流電圧Ｖ１と、ポータブル機器４０の二次電池５２を充電するための直流電圧Ｖ２とに変換する。直流電圧Ｖ１は、コントローラ２に出力されると共に、給電スイッチ５の接点ａを介して映像音声処理デバイス回路３に出力される。また、直流電圧Ｖ２は、給電スイッチ４の接点ａと、給電端子１０と、電源端子５４とを介して、二次電池５２に出力される。さらに、セレクタ６は、ポータブル機器４０を、入出力端子５３及び入出力端子１１を介してコントローラ２に接続するか、もしくは、映像音声処理デバイス回路３に接続するかを選択的に切り換える。
【００２４】
電源スイッチ８は、シアターシステム装置６０をオンオフするために設けられる。ここで、シアターシステム装置６０がオフされている状態とは、シアターシステム装置６０が商用電源９０に接続されており、かつ、電源回路７からの直流電圧Ｖ１がコントローラ２のみに出力されている状態をいう。このとき、映像音声処理デバイス回路３には直流電圧Ｖ１は供給されておらず、映像音声処理デバイス回路３は動作していない。また、シアターシステム装置６０がオンされている状態とは、シアターシステム装置６０が商用電源９０に接続されており、かつ、電源回路７からの直流電圧Ｖ１がコントローラ２及び映像音声処理デバイス回路３に出力されている状態をいう。このとき、映像音声処理デバイス回路３には直流電圧Ｖ１が供給されており、映像音声処理デバイス回路３は動作している。また、機器接続検出スイッチ９は、ポータブル機器４０が上述した所定の接続位置に設置されたときに電気的にオンするように構成されている。シアターシステム装置６０が商用電源９０に接続されているときには、電源スイッチ８のオンオフ状態に関係なく、電源回路７からコントローラ２に直流電圧Ｖ１が常時供給されており、コントローラ２は、電源スイッチ８及び機器接続検出スイッチ９の各オンオフ状態を検出できる。そして、詳細後述するように、コントローラ２は、電源スイッチ８及び機器接続検出スイッチ９の各オンオフ状態の検出結果に基づいて、給電スイッチ４と、給電スイッチ５と、セレクタ６との各動作を制御する。
【００２５】
また、映像音声処理デバイス回路３は、ポータブル機器４０との間でデータを送受信する通信手段であって、音声データとビデオデータとの少なくとも１つを含むコンテンツデータ４５−ｎ又はコンテンツ情報を、ポータブル機器４０から受信する。映像音声処理デバイス回路３は、ポータブル機器４０からセレクタ６を介して入力されるコンテンツデータ４５−ｎ又はコンテンツ情報に含まれるビデオデータに対して所定の信号処理やＤ／Ａ変換処理を実行した後、ディスプレイなどの映像表示装置７０に出力して表示する。さらに、映像音声処理デバイス回路３は、ポータブル機器４０からセレクタ６を介して入力されるコンテンツデータ４５−ｎ又はコンテンツ情報に含まれる音声データに対して所定の信号処理やＤ／Ａ変換処理を実行した後、スピーカ８０に出力する。さらに、映像音声処理デバイス回路３は、ポータブル機器４０からセレクタ６を介して入力される二次電池５２の充電量を含むデータを、コントローラ２に出力する。
【００２６】
次に、図２乃至図６を参照して、コントローラ２によって実行される機器制御処理を説明する。機器制御処理は、電源回路７に商用電源９０が供給され、電源回路７からコントローラ２に直流電圧Ｖ１が供給されたときに実行される。このとき、電源スイッチ８及び機器接続検出スイッチ９はオフされている。始めに、ステップＳ１において、コントローラ２は、給電スイッチ４を接点ｂ側に切り換え、給電スイッチ５を接点ｂ側に切り換え、セレクタ６をコントローラ２側に切り換える。これにより、ポータブル機器４０は電源回路７に接続されず、映像音声処理デバイス回路３は動作せず、ポータブル機器４０はコントローラ２に接続される。次に、ステップＳ２において、機器接続検出スイッチ９がオンされた（すなわち、ポータブル機器４０がシアターシステム装置６０の所定の接続位置に設置された）か否かが判断され、ＹＥＳのときはステップＳ３に進む一方、ＮＯのときはステップＳ１６に進む。ステップＳ３では、図５の第１の充電処理が実行される。
【００２７】
図５の第１の充電処理中には、セレクタ６はコントローラ２側に切り換えられており、ポータブル機器４０はコントローラ２に接続されている。図５のステップＳ３１において、コントローラ２は、給電スイッチ４を接点ａ側に切り換える。そして、ステップＳ３２において、コントローラ２は、ポータブル機器４０に対して二次電池５２の充電量のデータを送信することを要求するコマンドを、セレクタ６を介してポータブル機器４０に送信し、これに応答してポータブル機器４０から送信された二次電池５２の充電量のデータを、セレクタ６を介して受信する。次に、ステップＳ３３において、二次電池５２の充電量が所定のしきい値より大きいか否かが判断され、ＹＥＳのときはステップＳ３４に進む一方、ＮＯのときはステップＳ３５に進む。ステップＳ３４において、給電スイッチ４は接点ｂ側に切り換えられ、ステップＳ３２に戻る。また、ステップＳ３５において、給電スイッチ４は接点ａ側に切り換えられ、ステップＳ３２に戻る。なお、コントローラ２は、ステップＳ３２の処理を所定の周期で実行する。
【００２８】
図２に戻り参照すると、ステップＳ４において、ステップＳ３の第１の充電処理を実行中に、電源スイッチ８がオンされたか否かが判断され、ＹＥＳのときはステップＳ７に進む一方、ＮＯのときはステップＳ５に進む。そして、ステップＳ５では、第１の充電処理を実行中に、機器接続検出スイッチ９がオフされた（すなわち、ポータブル機器４０がシアターシステム装置６０の所定の接続位置から外された）か否かが判断され、ＹＥＳのときはステップＳ６において第１の充電処理を終了してステップＳ１に戻る一方、ＮＯのときはステップＳ４に戻る。
【００２９】
ステップＳ７において、コントローラ２は、第１の充電処理を終了し、給電スイッチ４を接点ａ側に切り換え、給電スイッチ５を接点ａ側に切り換える。これにより、映像音声処理デバイス回路３に直流電圧Ｖ１が供給される。次にステップＳ８において、コントローラ２は、ポータブル機器４０との間でセレクタ６を介して所定の認証処理を行い、ステップＳ９に進む。ここで、ステップＳ８において実行される認証処理は、ポータブル機器４０と通信して、ポータブル機器４０内のコンテンツデータ４５−ｎを受信して再生することを機器認証するための処理である。ステップＳ９では、ポータブル機器４０の認証に成功したか否かが判断され、ＹＥＳのときはステップＳ１０に進む一方、ＮＯのときはステップＳ２１に進む。そして、ステップＳ１０において、コントローラ２はセレクタ６を映像音声処理デバイス回路３側に切り換え、ステップＳ１１において、図６の第２の充電処理を実行する。なお、ステップＳ１０において、セレクタ６が映像音声処理デバイス回路３側に切り換えられると、ポータブル機器４０は映像音声処理デバイス回路３に接続され、映像音声処理デバイス回路３は、ポータブル機器４０からセレクタ６を介してコンテンツデータ４５−ｎ又はコンテンツ情報を受信し、受信したコンテンツデータ４５−ｎ又はコンテンツ情報に基づいてビデオデータ及び音声データを生成し、ビデオデータを映像表示装置７０に出力して表示すると共に、音声データをスピーカ８０に出力する。さらに、映像音声処理デバイス回路３は、ポータブル機器４０に対して二次電池５２の充電量のデータを送信することを要求するコマンドを、セレクタ６を介してポータブル機器４０に所定の周期で、送信し、これに応答してポータブル機器４０から送信された二次電池５２の充電量のデータを、セレクタ６を介して受信する。そして、受信した充電量のデータをコントローラ２に出力する。
【００３０】
図６の第２の充電処理中には、セレクタ６は映像音声処理デバイス回路３側に切り換えられており、ポータブル機器４０は映像音声処理デバイス回路３に接続されている。図６のステップＳ４２において、コントローラ２は、映像音声処理デバイス回路３から、二次電池５２の充電量のデータを受信する。次に、ステップＳ４３において、二次電池５２の充電量が所定のしきい値より大きいか否かが判断され、ＹＥＳのときはステップＳ４４に進む一方、ＮＯのときはステップＳ４５に進む。ステップＳ４４において、給電スイッチ４は接点ｂ側に切り換えられ、ステップＳ４２に戻る。また、ステップＳ４５において、給電スイッチ４は接点ａ側に切り換えられ、ステップＳ４２に戻る。
【００３１】
図２に戻り参照すると、ステップＳ１２において、第２の充電処理中に電源スイッチ８がオフされたか否かが判断され、ＹＥＳのときはステップＳ１３に進む一方、ＮＯのときはステップＳ１４に進む。ステップＳ１３において、コントローラ２は第２の充電処理を終了し、給電スイッチ５を接点ｂ側に切り換え、セレクタ６をコントローラ２側に切り換え、ステップＳ３に戻る。一方、ステップＳ１４では、第２の充電処理中に機器接続検出スイッチ９がオフされたか否かが判断され、ＹＥＳのときはステップＳ１５に進む一方、ＮＯのときはステップＳ１２に戻る。ステップＳ１５において、コントローラ２は給電スイッチ４を接点ｂ側に切り換え、セレクタ６をコントローラ２側に切り換え、ステップＳ１８に進む。
【００３２】
ステップＳ１６では、電源スイッチ８がオンされたか否かが判断され、ＹＥＳのときはステップＳ１７に進む一方、ＮＯのときはステップＳ２に戻る。ステップＳ１７において、コントローラ２は給電スイッチ５を接点ａ側に切り換えてステップＳ１８に進む。ステップＳ１８では、電源スイッチ８がオフされたか否かが判断され、ＹＥＳのときはステップＳ１に戻る一方、ＮＯのときはステップＳ１９に進む。さらに、ステップＳ１９では、機器接続検出スイッチ９がオンされたか否かが判断され、ＹＥＳのときはステップＳ２０に進む一方、ＮＯのときはステップＳ１８に戻る。ステップＳ２０において、給電スイッチ４は接点ａ側に切り換えられ、ステップＳ８に戻る。
【００３３】
また、ステップＳ９において認証に失敗したときには、ステップＳ２１において、コントローラ２は給電スイッチ４を接点ｂ側に切り換えてステップＳ２２に進む。ステップＳ２２では、電源スイッチ８がオフされたか否かが判断され、ＹＥＳのときはステップＳ１に戻る一方、ＮＯのときはステップＳ２３に進む。そして、ステップＳ２３では、機器接続検出スイッチ９がオフされたか否かが判断され、ＹＥＳのときはステップＳ１８に進む一方、ＮＯのときはステップＳ２２に戻る。
【００３４】
図７は、図２及び図３の機器制御処理によって実現される電源スイッチ８のオンオフ状態と、機器接続検出スイッチ９のオンオフ状態と、給電スイッチ４及び５の各切り換え状態と、セレクタ６の切り換え状態との関係を示す表である。図７に示すように、本実施形態に係る機器制御処理によれば、ポータブル機器４０がシアターシステム装置６０に接続されており（すなわち、機器接続検出スイッチ９がオンされている）、かつ、電源スイッチ８がオフされているときには、給電スイッチ５は接点ｂに切り換えられ、セレクタ６はコントローラ２側に切り換えられる。そして、コントローラ２は第１の充電処理を実行することにより、二次電池５２の充電量のデータをセレクタ６を介してポータブル機器４０から受信し、充電量が実質的に所定のしきい値になるように二次電池５２を充電する。
【００３５】
また、ポータブル機器４０がシアターシステム装置６０に接続されており（すなわち、機器接続検出スイッチ９がオンされている）、かつ、電源スイッチ８がオンされているときには、給電スイッチ５は接点ａ側に切り換えられ、映像音声処理デバイス回路３に直流電圧Ｖ１が供給される。また、コントローラ２は、給電スイッチ４を接点ａ側に切り換えてポータブル機器４０に給電すると共に、セレクタ６をコントローラ２側に切り換え、セレクタ６を介してポータブル機器４０との間で認証処理を行う。そして、コントローラ２は、ポータブル機器４０の認証に成功したときに、セレクタ６を映像音声処理デバイス回路３側に切り換える。従って、認証に成功した後は、ポータブル機器４０は映像音声処理デバイス回路３との間で通信を行い、コンテンツデータ４５−ｎ及び二次電池５２の充電量のデータを映像音声処理デバイス回路３に送信する。さらに、認証に成功した後は、コントローラ２は第２の充電処理を実行することにより、二次電池５２の充電量のデータを映像音声処理デバイス回路３から受信し、充電量が実質的に所定のしきい値になるように二次電池５２を充電する。
【００３６】
以上説明したように、本実施形態によれば、コントローラ２は、ポータブル機器４０をコントローラ２に接続するようにセレクタ６を制御した後に、セレクタ６を介してポータブル機器４０と通信してポータブル機器４０を認証し（図２のステップＳ８）、ポータブル機器４０の認証に成功したときに、セレクタ６を映像音声処理デバイス回路３側に切り換える（図２のステップＳ１０）ので、ポータブル機器４０からのコンテンツデータ４５−ｎは、コントローラ２を経由せずに映像音声処理デバイス回路３に送信される。従って、従来技術に比較して、受信したコンテンツデータ４５−ｎに含まれるビデオデータを映像表示装置７０に高速に表示できる。
【００３７】
また、コントローラ２は、シアターシステム装置６０の電源スイッチ８がオンされたとき（図２のステップＳ４でＹＥＳの場合）に、セレクタ６を介してポータブル機器４０と通信してポータブル機器４０を認証するので、電源スイッチ８のオン時に確実にポータブル機器４０を認証できる。
【００３８】
さらに、コントローラ２は、シアターシステム装置６０の電源スイッチ８がオフされたときに、ポータブル機器４０をコントローラ２に接続するようにセレクタ６を制御する（図２のステップＳ１及びステップＳ１３）ので、コントローラ２は、電源スイッチ８がオフされた後にも、ポータブル機器４０との間で通信を行うことができ、例えば、二次電池５２の充電量のデータをポータブル機器４０から受信できる。
【００３９】
またさらに、シアターシステム装置６０は、映像音声処理デバイス回路３を動作させるか否かを切り換えるための給電スイッチ５を備え、コントローラ２は、電源スイッチ８がオンされたときに、映像音声処理デバイス回路３を動作させるように給電スイッチ５を接点ａ側に切り換える一方、電源スイッチ８がオフされたときに、映像音声処理デバイス回路３の動作を停止するように給電スイッチ５を接点ｂ側に切り換える。従って、電源スイッチ８がオフされているときには、映像音声処理デバイス回路３には給電されないので、シアターシステム装置６０の消費電力を最低限に抑えることができる。
【００４０】
また、コントローラ２は、ポータブル機器４０がコントローラ２に接続されているときは、ポータブル機器４０からセレクタ６を介して二次電池５２の充電量のデータを受信し、ポータブル機器４０が映像音声処理デバイス回路３に接続されているときは、映像音声処理デバイス回路３によってセレクタ６を介して受信された二次電池５２の充電量のデータを、映像音声処理デバイス回路３から受信するので、電源スイッチ８のオンオフ状態に関係なく、二次電池５２の充電量のデータを受信して、二次電池５２の充電量を監視できる。
【００４１】
さらに、シアターシステム装置６０は、直流電圧Ｖ１を二次電池５２に出力するか否かを切り換える給電スイッチ４を備え、コントローラ２は、受信された二次電池５２の充電量のデータに基づいて、上記二次電池の充電量が所定のしきい値になるように、給電スイッチ４を制御するので、充電量が実質的に所定のしきい値になるように二次電池５２を充電できる。
【００４２】
第２の実施形態．
図８は、本発明の第２の実施形態に係る機器制御処理の第１の部分を示すフローチャートである。なお、第２の実施形態に係る機器制御処理の第２の部分及び第３の部分は、それぞれ、第１の実施形態に係る機器制御処理の第２の部分（図３）及び第３の部分（図４）と同一である。図８の処理は、図２の処理のステップＳ４をステップＳ４Ａに置き換えたものである。ステップＳ４Ａにおいて、コントローラ２は、第１の充電処理を実行中に電源スイッチ８がオンされ、又は、接続要求コマンドをポータブル機器４０から受信したか否かを判断する。ここで、接続要求コマンドは、シアターシステム装置６０への接続を要求するコマンドであって、ユーザがポータブル機器４０の操作部５０の再生ボタンなどを操作したときに、ポータブル機器４０からシアターシステム装置６０に送信される。従って、本実施形態によれば、電源スイッチ８のオンオフ状態に関係なく、ユーザがポータブル機器４０の操作部５０の再生ボタンなどを操作したときに映像表示装置７０にビデオデータを出力して表示し、スピーカ８０から音声を出力できる。
【００４３】
なお、上記各実施形態において、インターフェース４６は、ＵＳＢ２．０に準拠したインターフェース回路であったが、本発明はこれに限らず、ＵＡＲＴ（Universal Asynchronous Receiver Transmitter）の集積回路であってもよい。
【００４４】
また、上記各実施形態において、ポータブル機器４０とシアターシステム装置６０とを有線接続したが、本発明はこれに限らず、無線接続してもよい。
【００４５】
さらに、上記各実施形態において、電源スイッチ８がオフのとき、コントローラ２は、第１の充電処理を実行することにより、二次電池５２の充電量が所定のしきい値より大きいときには給電スイッチ４を接点ｂ側に切り換えたが、本発明はこれに限らず、ユーザに対してポータブル機器４０の接続を解除することを指示する画像データを、映像音声処理デバイス回路３を介して映像表示装置７０に表示してもよい。
【００４６】
上記各実施形態において、シアターシステム装置６０を例に挙げて説明したが、本発明はこれに限らず、ポータブル機器４０等の他の機器に接続された電子機器であればよい。
【産業上の利用可能性】
【００４７】
以上説明したように、本発明に係る電子機器は、他の機器を制御手段に接続するか、もしくは通信手段に接続するかを選択的に切り換える第１の切換手段を備え、制御手段は、第１の切換手段を介して他の機器と通信して他の機器を認証し、他の機器の認証に成功したとき、他の機器を通信手段に接続するように第１の切換手段を制御する。このため、他の機器の認証に成功した後には、通信手段は制御手段を経由せずに他の機器と直接通信を行うことができる。従って、ポータブル機器等の他の機器からコンテンツデータ又はコンテンツ情報を受信して、従来技術に比較して映像表示装置に高速に出力して表示できる電子機器を実現できる。
【符号の説明】
【００４８】
２…コントローラ、
３…映像音声処理デバイス回路、
４…給電スイッチ、
５…給電スイッチ、
６…セレクタ、
７…電源回路、
８…電源スイッチ、
９…機器接続検出スイッチ、
１０…給電端子、
１１…入出力端子、
１２…映像出力端子、
１３…音声出力端子、
４０…ポータブル機器、
４１…ＣＰＵ、
４２…ＲＯＭ、
４３…ＲＡＭ、
４４…フラッシュメモリ、
４５−１〜４５−Ｎ…コンテンツデータ、
４６…インターフェース、
４７…映像処理回路、
４８…ディスプレイ、
４９…音声処理回路、
５０…操作部、
５１…バス、
５２…二次電池、
５３…入出力端子、
５４…電源端子、
６０…シアターシステム装置、
７０…映像表示装置、
８０…スピーカ。
【手続補正２】
【補正対象書類名】特許請求の範囲
【補正対象項目名】全文
【補正方法】変更
【補正の内容】
【特許請求の範囲】
【請求項１】
他の機器に接続された電子機器であって、
上記他の機器と通信して上記他の機器を認証する制御手段と、
上記他の機器からデータを受信する通信手段と、
上記他の機器を、上記制御手段に接続するか、もしくは上記通信手段に接続するかを選択的に切り換える第１の切換手段とを備え、
上記制御手段は、
上記他の機器を上記制御手段に接続するように上記第１の切換手段を制御した後に、上記第１の切換手段を介して上記他の機器と通信して、上記他の機器を認証し、
上記他の機器の認証に成功したとき、上記他の機器を上記通信手段に接続するように上記第１の切換手段を制御することを特徴とする電子機器。
【請求項２】
上記制御手段は、上記電子機器の電源スイッチがオンされたときに、上記第１の切換手段を介して上記他の機器と通信して、上記他の機器を認証することを特徴とする請求項１記載の電子機器。
【請求項３】
上記制御手段は、上記他の機器から接続を要求するコマンドを受信したときに、上記第１の切換手段を介して上記他の機器と通信して、上記他の機器を認証することを特徴とする請求項１又は２記載の電子機器。
【請求項４】
上記制御手段は、上記電子機器の電源スイッチがオフされたときに、上記他の機器を上記制御手段に接続するように上記第１の切換手段を制御することを特徴とする請求項１から３までのうちのいずれか１つに記載の電子機器。
【請求項５】
上記通信手段を動作させるか否かを切り換えるための第２の切換手段をさらに備え、
上記制御手段は、上記電子機器の電源スイッチがオンされたときに、上記通信手段を動作させるように上記第２の切換手段を制御する一方、上記電子機器の電源スイッチがオフされたときに、上記通信手段の動作を停止するように上記第２の切換手段を制御することを特徴とする請求項１から４までのうちのいずれか１つに記載の電子機器。
【請求項６】
上記他の機器は二次電池を備え、
上記制御手段は、（ａ）上記他の機器が上記制御手段に接続されているときは、上記他の機器から上記第１の切換手段を介して上記二次電池の充電量のデータを受信し、（ｂ）上記他の機器が上記通信手段に接続されているときは、上記通信手段によって上記第１の切換手段を介して受信された上記二次電池の充電量のデータを、上記通信手段から受信することを特徴とする請求項１から５までのうちのいずれか１つに記載の電子機器。
【請求項７】
所定の直流電圧を上記二次電池に出力するか否かを切り換える第３の切換手段をさらに備え、
上記制御手段は、上記受信された二次電池の充電量のデータに基づいて、上記二次電池の充電量が所定のしきい値になるように、上記第３の切換手段を制御することを特徴とする請求項６記載の電子機器。
【請求項８】
上記他の機器から受信されるデータは、音声データとビデオデータとの少なくとも１つを含むコンテンツデータであることを特徴とする請求項１から７までのうちのいずれか１つに記載の電子機器。
【手続補正３】
【補正対象書類名】図面
【補正対象項目名】全図
【補正方法】変更
【補正の内容】
【図１】
2011010454.tif 000011
【図２】
2011010454.tif 000012
【図３】
2011010454.tif 000013
【図４】
2011010454.tif 000014
【図５】
2011010454.tif 000015
【図６】
2011010454.tif 000016
【図７】
2011010454.tif 000017
【図８】
2011010454.tif 000018
【国際調査報告】
2011010454.tif 000019
2011010454.tif 000020
2011010454.tif 000021
2011010454.tif 000022